(57)【要約】【課題】従来のサイコロは同じ面の数しか数字及び文章を表現出来なかった。【解決の手段】上面に上面透明板、下面に下面透明板間に空間部を持った透明ケース本体の裏側に隙間を持ったカード差込部を複数設け、数字及び文章を記入したカードをカード差込部に差込、更に球形の表面に水平部を持った移動体を空間部に投入する事による平面で表現するサイコロ【選択図】図１
2014108347.tif 000002
【特許請求の範囲】
【請求項１】
上面に上面透明板（２）下面に下面透明板（３）間に空間部（１６）を持った透明ケース本体（１）の裏側に隙間を持ったカード差込部（９）を複数設け、数字及び文章（１４）を記入したカード（５）をカード差込部（９）に差込、更に球形の表面に水平部（１０）を持った移動体（４）を空間部（１６）に投入する事による平面で表現するサイコロ
【請求項２】
上面に上面透明板（２）下面に下面透明板（３）間に空間部（１６）を持った透明ケース本体（１）の下面透明板（３）に移動体（４）の直径より小さい小孔（１５）を複数設け、これに対比した位置に横線（１２）、縦線（１３）及び数字及び文章（１４）を記入したカード（５）をカード差込部（９）に差込、更に移動体（４）を空間部（１６）に投入する事による平面で表現するサイコロ
【発明の詳細な説明】
【技術分野】
【０００１】本発明のサイコロは従来のサイコロに比べ何倍の種類の数字及び文章の表現が出来るサイコロである。
【背景技術】
【０００２】従来のサイコロは同じ面の数しか数字及び文章を表現出来なかった。
【発明の概要】
【発明が解決しようとする課題】
【０００３】従来の正多面体のサイコロは次の欠点があった。
サイコロに数字や文章を記入してゲーム、余興、パーティー及び記憶物として利用する場合、同じ面の数しか表現出来なかった。
【課題を解決する手段】
【０００４】（イ）上記の問題点を解決する為、透明ケース本体（１）の上面に上面透明板（２）を、下面に下面透明板（３）を設け、この間に空間部（１６）を設ける。
（ロ）透明ケース本体（１）の端部に予備移動体（７）を保持する予備移動体ケース（６）を設ける。
（ハ）上面透明板（２）の端部に移動体投入口（８）を設けヒンジ付きカバー（１１）を上側に取り付ける。
（ニ）球形の移動体（４）の表面に平部の程度の違った水平部（１０）を単数又は複数設ける。
（ホ）透明ケース本体（１）の裏側には隙間を持ったカード差込部（９）を複数設けカード（５）を差し込む。
（ヘ）図７に示す様にカード（５）は横線（１２）縦線（１３）間に数字及び文章（１４）を記入するが図でも絵でも自由に記入出来る。
（ト）図６に示す様に透明ケース本体（１）を傾斜させると移動体（４）が転がるが傾斜の程度及び水平部（１０）の位置で下面透明板（３）のどこの位置で止まるか予想出来なく、止まった位置のカード（５）の数字及び文章（１４）が答えになる。
移動体（４）の量及び数により転がり方が変わるので使用者は自由に予備移動体（７）を選択して移動体投入口（８）より交換出来る。
（チ）図８に示す方法は下面透明板（３）の縦列、横列に規則正しく小孔（１５）を設け、これに対比した位置に横線（１２）、縦線（１３）及び数字及び文章（１４）を図９のカード（５）に設ける。
小孔（１５）の数が仮に２４個有っても図１０に示す様に（１〜２０）の数字でも使用出来る。
又図１１に示す様に小孔（１５）が４個に対して１個の数字及び文章（１４）を記入した（１〜６）の表現も出来る。
この方法によれば確実に移動体（４）が数字及び文章（１４）の上に来る
【発明の効果】
【０００５】その結果、次の効果が生じる．
（イ）サイコロに必要な条件は、数字及び文章（１４）は予想が出来難く、動きに変化があると楽しく、飽きない事が必要であるが移動体（４）は透明ケース本体（１）の左右の揺れ及び前後の傾斜により変化するので止まる位置が予想出来なく、この為楽しく飽きない効果がある。
（ロ）移動体（４）には水平部（１０）がある為どの位置で止まるか予想出来なく、水平部（１０）が少ないと転がりやすく、大きいと止まりやすいので使用者がその時の気分で予備移動体（７）を選択できる。
（ハ）使用するカード（５）には自由に数字及び文章（１４）を表現出来、カード（５）の大きさにより従来のサイコロでは想像出来なかった数の数字及び文章（１４）を表現出来、更にカード（５）の枚数を増やす事により色々の用途に発展出来る。
（ニ）図８に示す方法は下面透明板（３）に小孔（１５）を縦列、横列に規則正しく設け、これに対比した位置に横線（１２）、縦線（１３）及び数字及び文章（１４）を設けたカード（５）をカード差込部（９）に差し込む方法によれば確実に移動体（４）が数字及び文章（１４）の上に来る尚、小孔（１５）の大きさは移動体（４）の直径の７０パーセントから５０パーセント位が良く、大きければゲームの結果が出やすく小さければ出難い。
この場合移動体（４）には水平部（１０）が必要ないが小孔（１５）の大きさを小さくして逆に水平部（１０）を持った移動体（４）を使用すれば更に変化のあるゲームが出来、楽しさが増加する。
又横線（１２），縦線（１３）による大きさを小さく出来る為カード（５）を小さく出来る効果がある。
【図面の簡単な説明】
【０００６】
【図１】本発明の透明ケース本体の斜視図である。
【図２】本発明の透明ケース本体の裏側からの斜視図である。
【図３】移動体に水平部を設けた拡大図である。
【図４】本発明の透明ケースの断面図である。
【図５】ヒンジ付きカバーの拡大図である。
【図６】透明ケースを傾斜させた時の断面図である。
【図７】カードの斜視図である。
【図８】小孔を設けた下面透視板の斜視図である。
【図９】カードの斜視図である。
【図１０】カードの斜視図である。
【図１１】カードの斜視図である。
【図１２】小孔を設けた下面透視板の拡大図である。
【発明を実施するための形態】
【０００７】以下本発明の実施の形態を説明する。
（イ）透明ケース本体（１）の上面に上面透明板（２）下面に下面透明板（３）を設けこの間に空間部（１６）を設ける。
（ロ）透明ケース本体（１）の端部に予備の予備移動体（７）を保持する予備移動体ケース（６）を設ける。
（ハ）上面透明板（２）の端部に移動体投入口（８）を設け、ヒンジ付きカバー（１１）を上側に取り付ける。
（ニ）球形の移動体（４）の表面に平部の程度の違った水平部（１０）を単数又は複数設ける。
（ホ）透明ケース本体（１）の裏側には隙間を持ったカード差込部（９）を複数設けカード（５）を差し込む。
（ヘ）図７に示す様にカード（５）は横線（１２）縦線（１３）間に数字及び文章（１４）を記入するが図でも絵でも自由に記入出来る。
（ト）図８に示す方法は下面透明板（３）の縦列、横列に規則正しく小孔（１５）を設け、これに対比した位置に横線（１２）、縦線（１３）及び数字及び文章（１４）を図９のカード（５）に設ける。
本発明は以上の構成よりなる。
本発明を使用する場合はカード（５）を下面透明板（３）とカード差込部（９）間に差込みヒンジ付きカバー（１１）を開き移動体投入口（８）より移動体（４）を空間部（１６）に投入する。
透明ケース本体（１）を左右に揺らし又は前後に傾斜させると移動体（４）が下面透明板（３）上で止まり、この位置の数字及び文章（１４）が答えになる。
カード（５）は大きさにより横線（１２）、縦線（１３）数字及び文章（１４）を自由に変更及び作成出来る。
又移動体（４）は水平部（１０）の量及び数により転がり方が違うので使用者は自由に交換出来る
図８に示す下面透明板（３）の縦列、横列に規則正しく小孔（１５）を設けた場合は水平部（１０）のない移動体でよいが変化を重視したい時は小孔（１５）の直径を小さくし、又小量の水平部（１０）がある移動体（４）を使用しても良い
【符号の説明】
【０００８】１．透明ケース本体  ２．上面透明板  ３．下面透明板  ４．移動体
５．カード  ６．予備移動体ケース  ７．予備移動体  ８．移動体投入口
９．カード差込部  １０．水平部  １１．ヒンジ付きカバー  １２．横線
１３．縦線  １４．数字及び文章  １５．小孔  １６．空間部
【図１】
2014108347.tif 000003
【図２】
2014108347.tif 000004
【図３】
2014108347.tif 000005
【図４】
2014108347.tif 000006
【図５】
2014108347.tif 000007
【図６】
2014108347.tif 000008
【図７】
2014108347.tif 000009
【図８】
2014108347.tif 000010
【図９】
2014108347.tif 000011
【図１０】
2014108347.tif 000012
【図１１】
2014108347.tif 000013
【図１２】
2014108347.tif 000014